(57)【要約】【課題】壁パネルの高さ調節が容易な壁パネルの高さ調節構造を提供すること。【解決手段】基礎部材に雄ネジ棒を縦軸姿勢で立設し、前記基礎部材上に配置させた巾木を、天板と、前記天板から垂下され且つ基礎部材の表裏面を覆う両側板と、前記天板の下方において両側板相互間に架設された被支持板とから構成し、被支持板に、上記雄ネジ棒に螺入された第１傘歯車を正逆回転自在に取付けると共に、前記第１傘歯車と歯合する横軸姿勢の第２傘歯車を正逆回転自在に取付けてあり、前記第２傘歯車の回転軸芯上にレンチ対応部を設けると共に、前記レンチ対応部と対向する側板部分にレンチ挿入口を設けてある。【選択図】  図１
2005023610.tif 000002
【特許請求の範囲】
【請求項１】
基礎部材に雄ネジ棒を縦軸姿勢で立設し、前記基礎部材上に配置させた巾木を、天板と、前記天板から垂下され且つ基礎部材の表裏面を覆う両側板と、前記天板の下方において両側板相互間に架設された被支持板とから構成し、被支持板に、上記雄ネジ棒に螺入された第１傘歯車を正逆回転自在に取付けると共に、前記第１傘歯車と歯合する横軸姿勢の第２傘歯車を正逆回転自在に取付けてあり、前記第２傘歯車の回転軸芯上にレンチ対応部を設けると共に、前記レンチ対応部と対向する側板部分にレンチ挿入口を設けてあることを特徴とする壁パネルの高さ調節構造。
【請求項２】
基礎部材に雄ネジ棒を縦軸姿勢で立設し、前記基礎部材上に配置させた巾木を、天板と、前記天板から垂下され且つ基礎部材の表裏面を覆う両側板と、前記天板の下方において両側板相互間に架設された被支持板とから構成し、被支持板に、上記雄ネジ棒に螺入された歯車を正逆回転自在に取付けると共に、前記歯車の歯と対向する側板部分にプラスドライバ−のビット部を挿入するための挿入口を設け、挿入口からプラスドライバ−を挿入して正逆回転したときには、ビット部の凹凸が歯車の歯と歯合して歯車が正逆回転せしめられるようになっていることを特徴とする壁パネルの高さ調節構造。
【発明の詳細な説明】
【０００１】
【発明の属する技術分野】
この発明は、連設することにより内装壁部を構成する壁パネルの高さ調節構造に関するものである。
【０００２】
【従来の技術】
既設の建物躯体内に部屋の形状に合わせて床ボーダを敷設し、この床ボーダ上に複数の壁パネルを連接することにより内装壁部を構成し、部屋空間を区画する所謂プレハブルームやトイレブース等が知られている。
【０００３】
上記プレハブルーム等の内装壁部を構成する壁パネルにあっては、従来より様々な高さ調整構造が提案されているが、最も簡単な高さ調節構造は、床ボーダと壁パネル下端面との間に高さ調節ボルト（雄ネジにナットを螺号させたものを含む）を介在させたものである（例えば、特許文献１。）。
【０００４】
【特許文献１】
実公平６−１９５２号公報（第５図参照）
しかしながら、従来の高さ調節構造では、壁パネルの下面に一体化した金属板をこれの下面に接触している高さ調節ボルトの頭部（又はネジ棒に螺合されたナット）をスパナで回すようにして、壁パネルを上下動させるものであったから、スパナがボルト頭やナットから外れやすく作業が非常にやりにくいという問題があった。
【０００５】
【発明が解決しようとする課題】
そこで、この発明では、壁パネルの高さ調節が容易な壁パネルの高さ調節構造を提供することを課題とする。
【０００６】
【課題を解決するための手段】
（請求項１記載の発明）
この発明の壁パネルの高さ調節構造は、基礎部材に雄ネジ棒を縦軸姿勢で立設し、前記基礎部材上に配置させた巾木を、天板と、前記天板から垂下され且つ基礎部材の表裏面を覆う両側板と、前記天板の下方において両側板相互間に架設された被支持板とから構成し、被支持板に、上記雄ネジ棒に螺入された第１傘歯車を正逆回転自在に取付けると共に、前記第１傘歯車と歯合する横軸姿勢の第２傘歯車を正逆回転自在に取付けてあり、前記第２傘歯車の回転軸芯上にレンチ対応部を設けると共に、前記レンチ対応部と対向する側板部分にレンチ挿入口を設けてある。
（請求項２記載の発明）
この発明の壁パネルの高さ調節構造は、基礎部材に雄ネジ棒を縦軸姿勢で立設し、前記基礎部材上に配置させた巾木を、天板と、前記天板から垂下され且つ基礎部材の表裏面を覆う両側板と、前記天板の下方において両側板相互間に架設された被支持板とから構成し、被支持板に、上記雄ネジ棒に螺入された歯車を正逆回転自在に取付けると共に、前記歯車の歯と対向する側板部分にプラスドライバ−のビット部を挿入するための挿入口を設け、挿入口からプラスドライバ−を挿入して正逆回転したときには、ビット部の凹凸が歯車の歯と歯合して歯車が正逆回転せしめられるようになっている。
【０００７】
なお、上記発明の壁パネルの高さ調節構造の作用・効果については以下の発明の実施の形態の欄で説明する。
【０００８】
【発明の実施の形態】
以下、この発明を実施形態として示した図面に従って説明する。
〔実施形態１〕
図１はこの発明の実施形態における壁パネルの高さ調節構造の断面図、図２は前記壁パネルの高さ調節構造の部分拡大図を示している。
【０００９】
（壁パネルの高さ調節構造の基本的構造について）
この壁パネルの高さ調節構造は、図１に示すように、基礎部材１に雄ネジ棒２を縦軸姿勢で立設し、前記基礎部材１上に配置させた巾木３を、壁パネルＰが載置される天板３０と、前記天板３０から垂下され且つ基礎部材１の表裏面を覆う両側板３１，３２と、前記天板３０の下方において両側板３１，３２相互間に架設された被支持板３３とから構成し、被支持板３３に、上記雄ネジ棒２に螺入された第１傘歯車４を正逆回転自在に取付けると共に、前記第１傘歯車４と歯合する横軸姿勢の第２傘歯車５を正逆回転自在に取付けてあり、前記第２傘歯車５の回転軸芯上にレンチ挿入溝５３（レンチ対応部）を設けると共に、前記レンチ挿入溝５３と対向する側板３２部分にレンチ挿入口３４を設けてある。
【００１０】
以下にこの高さ調節構造の構成部材について説明する。
【００１１】
（基礎部材１について）
基礎部材１は、図１に示すように、アルミ押出形材であり且つ上面開放の断面横コ字状に形成された主体１０と、前記主体１内に設けられたアルミ押出形材である支持ブロック１１とから構成されている。
【００１２】
ここで、支持ブロック１１は、図１に示すように、その中央部に雄ネジ棒２が嵌まり込むスプライン孔１２を設けてあり、外面からスプライン孔１２に到るピン孔１３を穿設してある。また、この支持ブロック１１は、図示しないが主体１０に一定間隔（一枚の壁パネルＰに二つ程度）でネジ止めされている。
【００１３】
なお、この主体１０の底壁には図示しない孔が形成されており、この孔を利用して基礎部材１は床面Ｆにホルト止め又はアンカ−止めできるようにしてある。
【００１４】
（雄ネジ棒２について）
雄ネジ棒２は、図１に示すように、上端部にはストッパ２０を、中間部からストッパ２０に到るまでの範囲には雄ネジ２１を、下端部にはスプライン軸部２２を、それぞれ設けてある。
【００１５】
この雄ネジ棒２は、図１に示すように、前記スプライン軸２２部分が上記したスプライン孔１２に嵌入されて支持ブロック１１に対して回転不能となっており、また、この状態においてピン孔１３からのピンの挿入により雄ネジ棒２が支持ブロック１１から不用意に抜けるのを防止している。
【００１６】
（巾木３について）
巾木３は、アルミ押出形材であり、上述した如く図１や図２に示すように、天板３０と、前記天板３０から垂下され且つ基礎部材１の表裏面を覆う両側板３１，３２と、前記天板１の下方において両側板３１，３２相互間に架設された被支持板３３とから構成されている。
【００１７】
上記被支持板３３は、図１や図２に示すように両側板３１，３２の内面に一体化されているのではなく、両側板３１，３２の内面に設けられた溝３５，３６に各端縁を挿入するようにして取り付けられており、また、この被支持板３３の中央部分には図２に示すように、第１傘歯車４のボス部４１が回転自在に嵌入される円孔３７を穿設してある。
【００１８】
また上記被支持板３３には、図２に示すように、天板３０から挿通されたネジ体７を螺入してあり、これを利用して当該被支持板３３の端縁は溝３５，３６を構成する上側壁面に接触している。よって、第１傘歯車４と第２傘歯車５の歯合は常時適正に維持される。
【００１９】
（第１傘歯車４について）
第１傘歯車４は、図１や図２に示すように、歯部４０とボス部４１とを備えており、雄ネジ２１に螺合するネジ孔４２を設けてある。
【００２０】
ここで、上記ボス部４１には図２に示すように、Ｃ型ピン４４が嵌まり込む周溝４３を形成してある。
【００２１】
この第１傘歯車４は、その雄ネジ２１に螺合させた状態においてボス部４１を上記円孔３７に嵌入し、その後、周溝４３にＣ型ピン４４を嵌めることにより、適正位置に設置できる。この状態においては、第１傘歯車４は被支持板３３に対して正逆回転自在であり、第１傘歯車４を正逆回転させると、被支持板３３を介して巾木３は基礎部材１に対して上下動する。
【００２２】
（第２傘歯車５について）
第２傘歯車５は、図１や図２に示すように歯部５０と、ボス部５１とを備えており、前記ボス部５１の周面に周溝５２を設けてあると共に、ボス部５１の端面における回転軸上にレンチ挿入孔５３を設けてある。
【００２３】
ここで、この第２傘歯車５は、図２に示すように、取付部材６を介して被支持板３３に取り付けられている。前記取付部材６は、図２に示すように、被支持板３３にビス（図示せず）でネジ止めされたベース板６０と、このベース板６０に立設された直立板６１とから構成されており、第２傘歯車５はボス部５１を直立板６１に形成した円孔６２に正逆回転自在に嵌められた後、周溝５２にＣ型ピン５４を嵌めることにより適正位置に設置できる。この状態においては、第２傘歯車５は上記第１傘歯車４と歯合しており、よって、レンチ挿入孔５３にレンチを挿入してこれを正逆回転させると、それに伴い第１傘歯車４も正逆回転する。
【００２４】
なお、上記ベース板６０には第１傘歯車４と干渉しないように開口（図示せず）を設けてある。
【００２５】
（壁パネルＰが載置されている巾木３を上下動させる操作について）
この操作をする場合、レンチ挿入口３４からレンチを挿入し、第２傘歯車５に形成されたレンチ挿入孔５３に嵌め込む。
【００２６】
上記状態を維持しながらレンチを回転させ、第２傘歯車５を回転せしめる。すると、第２傘歯車５の回転力は第１傘歯車４の回転力として伝達され、それに伴い被支持板３３を介して巾木３は基礎部材１に対して上下動する。つまり、壁パネルＰの高さ調節ができることになる。
【００２７】
（この壁パネルの高さ調節構造の優れた作用・効果について）
▲１▼．この壁パネルの高さ調節構造では、施工現場において重い壁パネルＰを調節の度に再度取り外すことなくレンチ（六角レンチや特殊な五角レンチ）のみで高さ調節ができる。
【００２８】
▲２▼．この壁パネルの高さ調節構造では、第２傘歯車５に形成されたレンチ挿入孔５３に嵌まり込んだレンチを第２傘歯車５の回転軸上で回すものであるから、レンチがレンチ挿入孔５３から外れるようなことはないので作業性は優れていたものになる。
【００２９】
▲３▼．この壁パネルの高さ調節構造では、レンチ挿入口３４にレンチの端部を挿入すると、確実にレンチの端部はレンチ挿入孔５３に挿入されることになり、作業性が優れたものになる。
【００３０】
▲４▼．この壁パネルの高さ調節構造は、アルミ押出し形材を組み合わせることで形成されているから、現地加工及びフリ−サイズ化を可能とし、加工工程を大幅に削減できると共に大幅なコストタウンが可能になる。
【００３１】
〔その他の実施形態〕
上記実施形態では、レンチからの回転力の伝達を第１・第２傘歯車４，５で行ったが、これに限定されるものではない。
【００３２】
すなわち、図３に示す如く、被支持板３３に、雄ネジ棒２に螺入された歯車８を正逆回転自在に取付けると共に、前記歯車８の歯と対向する側板３２部分にプラスドライバ−のビット部ＤＢを挿入するための挿入口８０を設け、前記挿入口８０からビット部ＤＢを挿入して正逆回転したときには、ビット部ＤＢの凹凸が歯車８の歯と歯合して歯車８が正逆回転せしめられるようにしてもよい。
【００３３】
【発明の効果】
発明の実施の形態の欄から明らかなように、壁パネルの高さ調節が容易な壁パネルの高さ調節構造を提供できた。
【図面の簡単な説明】
【図１】この発明の実施形態における壁パネルの高さ調節構造の断面図。
【図２】前記壁パネルの高さ調節構造の部分拡大図を示している。
【図３】他の実施形態の壁パネルの高さ調節構造の説明図。
【符号の説明】
Ｐ      壁パネル
Ｆ      床面
ＤＢ    ビット部
１      基礎部材
２      雄ネジ棒
３      巾木
４      第１傘歯車
５      第２傘歯車
３０    天板
３１    側板
３２    側板
３３    被支持板
３４    レンチ挿入口
５３    レンチ挿入孔（レンチ対応部）
【図１】
2005023610.tif 000003
【図２】
2005023610.tif 000004
【図３】
2005023610.tif 000005